(57)【要約】【課題】本発明は、重なり合うように狭間隔に配置した複数のＲＦ−ＩＤタグとの通信を良好に行うことができるＲＦ−ＩＤリーダーライター装置用アンテナ及びそれを用いたＲＦ−ＩＤリーダーライター装置並びにＲＦ−ＩＤシステムを提供することを目的とする。【解決手段】ＲＦ−ＩＤリーダーライター装置用アンテナは、多巻きループアンテナの開口面の中心軸に合致せず、多巻きループアンテナの開口面を通らない中心軸に略平行な軸と、少なくとも一つのＲＦ−ＩＤタグのアンテナの開口面の中心軸とを略一致させて、多巻きループアンテナの外周側面の面上に、ＲＦ−ＩＤタグが近接配置させたことを特徴とする。【選択図】図１
2007043535.tif 000002
【特許請求の範囲】
【請求項１】
複数のＲＦ−ＩＤタグに電磁誘導により電力と送信データを供給し、前記ＲＦ−ＩＤタグから受信データを負荷変動により取得するＲＦＩＤリーダーライター装置に接続されるアンテナを備え、前記アンテナは多巻きループアンテナで構成され、多巻きループアンテナの開口面の中心軸に合致せず、且つ多巻きループアンテナの開口面を通らない、且つ前記中心軸に略平行な軸と、一つまたは複数のＲＦ−ＩＤタグのループアンテナの開口面の中心軸を略一致させて、多巻きループアンテナの外周側面の面上に、一直線上に複数のＲＦ−ＩＤタグを近接配置させたことを特徴とするＲＦ−ＩＤシステム。
【請求項２】
前記多巻きループアンテナの開口面の形状が、矩形もしくは楕円形でその高さｈと幅ｗとの比率が、ｈ：ｗ＝１：Ｎ（ただしＮ≧２）の条件を満足する扁平な構造であることを特徴とする請求項１に記載のＲＦ−ＩＤシステム。
【請求項３】
前記多巻きループアンテナの開口面Ｓの最大長ｗと全長Ｌとの比率が、ｗ：Ｌ＝１：Ｎ（ただしＮ≧２）の条件を満足する横長な構造であることを特徴とする請求項１に記載のＲＦ−ＩＤシステム。
【請求項４】
前記多巻きループアンテナを構成するアンテナ導体は金属（導電性）箔もしくは金属（導電性）薄板にて構成され、前記アンテナ導体の幅Ｗ、ピッチＰとの比率がＷ：Ｐ＝１：Ｎ（ただしＮ≦１）の条件を満足する横長な構造であることを特徴とする請求項１に記載のＲＦ−ＩＤシステム。
【請求項５】
前記多巻きループアンテナを構成するアンテナ導体の巻き数ｎおよび多巻きループアンテナの全長Ｌ、幅Ｗ、ピッチＰとの関係は、多巻きループアンテナがコイルとしての自己共振点を超えない有限の値であることを特徴とする請求項１に記載のＲＦ−ＩＤシステム。
【請求項６】
前記多巻きループアンテナを構成するアンテナ導体は少なくとも一つの同一面上で第一のループと第二のループとの交差部を設け他の開口面以外の３面においてはアンテナ導体が、前記多巻きループアンテナの開口面の中心軸に対し直角な方向に平行して多巻きされたことを特徴とする請求項１に記載のＲＦ−ＩＤシステム。
【請求項７】
前記多巻きループアンテナを構成するアンテナ導体の巻き始め部と巻き終わり部との間に伝送線路を設け、そのいずれか一端付近もしくは、中間点付近に共振回路部および同軸線路との整合回路部からなる共振整合回路部を設けたことを特徴とする請求項１から請求項６に記載のＲＦ−ＩＤシステム。
【請求項８】
前記多巻きループアンテナの開口面内に磁性材料を充填したことを特徴とする請求項１からに請求項７に記載のＲＦ−ＩＤシステム。
【請求項９】
多巻きループアンテナの開口面の中心軸に合致せず、前記多巻きループアンテナの開口面を通らない前記中心軸に略平行な軸と、
少なくとも一つのＲＦ−ＩＤタグのアンテナの開口面の中心軸とを略一致させて、
多巻きループアンテナの外周側面の面上に、前記ＲＦ−ＩＤタグが近接配置させたことを特徴とするＲＦ−ＩＤリーダーライター装置用アンテナ。
【請求項１０】
請求項９に記載のＲＦ−ＩＤリーダーライター装置用アンテナを備え、ＲＦ−ＩＤタグに電磁誘導により電力と送信データを供給し、前記ＲＦ−ＩＤタグから受信データを負荷変動により取得することを特徴とするＲＦＩＤリーダーライター装置。
【発明の詳細な説明】
【技術分野】
【０００１】
本発明は、ＨＦ帯（１３．５６ＭＨｚ帯）の周波数を利用し、複数のＲＦ−ＩＤタグとの通信を行うＲＦ−ＩＤリーダーライター装置用アンテナ及びそれを用いたＲＦ−ＩＤリーダーライター装置並びにＲＦ−ＩＤシステムに関するものである。
【背景技術】
【０００２】
従来、ＨＦ帯（１３．５６ＭＨｚ帯）の周波数を利用したＲＦ−ＩＤリーダーライター装置用のアンテナとして、一般的に同一平面上に構成された一回巻きもしくは複数回巻きの円形または矩形のループアンテナが実用に供されている。
【０００３】
このＲＦ−ＩＤリーダーライター装置用ループアンテナは、その開口面Ｓに垂直な方向（中心軸方向）の磁界強度が最も大きい。よって、ＲＦ−ＩＤタグ側のループアンテナとＲＦ−ＩＤリーダーライター装置用ループアンテナの位置関係は、お互いの開口面Ｓが平行になる様に配置されるのが一般的であった。
【０００４】
また、複数のＲＦ−ＩＤタグとの通信を行う場合においても、同一平面上に複数のＲＦ−ＩＤタグを開口面Ｓが重ならないように並べ、ＲＦ−ＩＤリーダーライター装置用ループアンテナに対して開口面Ｓが平行になるように配置していた。
【０００５】
しかし、書籍管理用途やＣＤ／ＤＶＤ管理用途等の極めて厚さの薄い物品管理などに供するときには、ＲＦ−ＩＤタグのサイズと、前記物品の厚さの物理的関係により、書籍やＣＤ／ＤＶＤケースの背表紙にＲＦ−ＩＤタグを貼り付けできないという問題が生じていた。この解決策として、複数のＲＦ−ＩＤタグを狭間隔（物品の厚さ＋α）でタグアンテナの中心軸が一致するように重なり合わせるように、管理物品の表表紙面もしくは裏表紙面に貼り付けせざるを得なかった。
【０００６】
また、従来の一般的な同一平面上に構成された一回巻きもしくは複数回巻きの円形または矩形のループアンテナを用いて、重なり合わせるように配置した複数のＲＦ−ＩＤタグとの通信を行う場合、タグ間の干渉やタグとリーダーライター装置用のアンテナとの干渉によるアンテナ共振周波数のズレや、基本的に磁界強度の距離減衰によりタグの読取数が極めて少なく、全てのタグとの通信できないという欠点があった。
【０００７】
ここで、図１４は従来のＲＦ−ＩＤリーダーライター装置用アンテナを示す説明図である。図１４（ａ）に示すように、一般的な同一平面上に構成された一回巻きもしくは複数回巻きの円形または矩形のループアンテナ１０１においては、その開口面Ｓの中心軸Ｚ上が最も磁界強度が大きく、中心軸Ｚ上の点ｐとループアンテナ１０１との距離をｄとした場合の距離ｄの増加による点ｐでの磁界強度の変化を図１５に示す。これより距離ｄの増加に伴い磁界強度が減衰しタグの動作磁界Ｈｔを下回ると通信できなくなることがわかる。なお、図１５は従来のＲＦ−ＩＤリーダーライター装置用アンテナの動作状態における距離と磁界強度の変化を示すグラフである。
【０００８】
図１４（ｂ）に示すように、この場合の磁束１０２の密度は、距離ｄの増加に伴い磁束密度が疎になって行く事がわかる。図１５で示される距離ｄ１よりタグが遠くなると通信が出来なくなりタグ読取範囲が狭いという欠点があった。
【０００９】
更に、（特許文献１）に記載のタグ検索装置について説明する。図１６は従来のタグ検索装置を説明する図である。図１６においてファイル２０１をタグ２０３の貼られたフォルダ２０２に入れて管理するものであるが、複数のタグ２０３に対応して、タグ２０３の各々にコイル２０５をそれぞれ配設し、ドライブ回路２０４にて順次通信を行うように工夫されている。この場合ファイル２０１の厚さに比べフォルダ２０２及びタグ２０３の幅が広く、書籍管理用途やＣＤ／ＤＶＤ管理用途等の極めて厚さの薄い物品管理においてはその収納数が限定されるという欠点があった。
【特許文献１】特開平７−１８２３５７号公報
【発明の開示】
【発明が解決しようとする課題】
【００１０】
このように、従来の技術においては、書籍管理用途やＣＤ／ＤＶＤ管理用途等の極めて厚さの薄い物品をＲＦ−ＩＤタグにて管理する用途において、この欠点はタグ読取性能に関して大きな障害である。具体的には、より大きな送信電力を入力したり、あるいは、故意に隣接するタグ同士のアンテナの中心軸を少しずつずらしたりするなど管理上の問題があった。
【００１１】
そこで、本発明は、重なり合うように狭間隔に配置した複数のＲＦ−ＩＤタグとの通信を良好に行うことができるＲＦ−ＩＤリーダーライター装置用アンテナ及びそれを用いたＲＦ−ＩＤリーダーライター装置並びにＲＦ−ＩＤシステムを提供することを目的とする。
【課題を解決するための手段】
【００１２】
本発明のＲＦ−ＩＤリーダーライター装置用アンテナは、多巻きループアンテナの開口面の中心軸に合致せず、多巻きループアンテナの開口面を通らない中心軸に略平行な軸と、少なくとも一つのＲＦ−ＩＤタグのアンテナの開口面の中心軸とを略一致させて、多巻きループアンテナの外周側面の面上に、ＲＦ−ＩＤタグが近接配置させたことを特徴とする。
【００１３】
また、ＲＦ−ＩＤリーダーライター装置は、該ＲＦ−ＩＤリーダーライター装置用アンテナを備え、ＲＦ−ＩＤタグに電磁誘導により電力と送信データを供給し、ＲＦ−ＩＤタグから受信データを負荷変動により取得することを特徴とする。
【００１４】
更に、ＲＦ−ＩＤシステムは、複数のＲＦ−ＩＤタグに電磁誘導により電力と送信データを供給し、ＲＦ−ＩＤタグから受信データを負荷変動により取得するＲＦ−ＩＤリーダーライター装置に接続されるアンテナを備え、アンテナは多巻きループアンテナで構成され、多巻きループアンテナの開口面の中心軸に合致せず、且つ多巻きループアンテナの開口面を通らない、且つ中心軸に略平行な軸と、一つまたは複数のＲＦ−ＩＤタグのループアンテナの開口面の中心軸を略一致させて、多巻きループアンテナの外周側面の面上に、一直線上に複数のＲＦ−ＩＤタグを近接配置させたことを特徴とする。
【発明の効果】
【００１５】
本発明により、重なり合うように狭間隔に配置した複数のＲＦ−ＩＤタグとの通信を良好に行うことができる。
【発明を実施するための最良の形態】
【００１６】
（実施の形態１）
図１は、本発明の実施の形態１におけるＲＦ−ＩＤシステムを示す斜視図である。図１において、１は多巻きループアンテナ、２は筐体、３はＲＦ−ＩＤリーダーライター装置、４は同軸ケーブルを示す。更に、３０はＲＦ−ＩＤタグ、３１はタグ側アンテナである。なお、Ｓは開口面を示している。
【００１７】
図１に示すように、多巻きループアンテナ１は本発明のＲＦ−ＩＤリーダーライター装置用アンテナであり、樹脂製の筐体２に収納されている。また、多巻きループアンテナ１は同軸ケーブル４を介してＲＦ−ＩＤリーダーライター装置３に接続されている。
【００１８】
そして、ＲＦ−ＩＤリーダーライター装置３に接続された多巻きループアンテナ１は、タグ側アンテナ３１を備えた複数のＲＦ−ＩＤタグ３０に電磁誘導により電力と送信データを供給し、ＲＦ−ＩＤタグ３０から受信データを負荷変動により取得する。
【００１９】
また、図１に示すように、多巻きループアンテナ１の開口面Ｓの中心軸Ａ−Ａ’に合致せず、且つ多巻きループアンテナ１の開口面Ｓを通らず、且つ中心軸Ａ−Ａ’に略平行な中心軸Ｂ−Ｂ’に対して、少なくとも１つ（図１の場合では複数）のＲＦ−ＩＤタグ３０のタグ側アンテナ３１の開口面Ｓの中心軸Ｂ−Ｂ’を略一致させて、多巻きループアンテナ１の外周側面の面上に、略一直線上に複数のＲＦ−ＩＤタグ３０を狭間隔に配置させている。
【００２０】
このような配置によって、多巻きループアンテナ１の外周側面の面上の全てのＲＦ−ＩＤタグ３０との通信を実現することが可能となる。
【００２１】
そして、本発明はＲＦ−ＩＤリーダーライター装置用アンテナに、多巻きループアンテナ１を使用しその開口面Ｓの中心軸Ａ−Ａ’と、複数のＲＦ−ＩＤタグ３０のタグ側アンテナ３１の開口面Ｓの中心軸Ｂ−Ｂ’とを一致させず、尚且つ多巻きループアンテナ１の開口面Ｓ上に複数のＲＦ−ＩＤタグ３０を配置しないことにより、重なり合うように狭間隔に配置した複数のＲＦ−ＩＤタグ３０との通信が良好に行うことができる。
【００２２】
多巻きループアンテナ１について更に詳しく述べる。図２は、本発明の実施の形態１におけるＲＦ−ＩＤリーダーライター装置用アンテナを示す斜視図、図３は、本発明の実施の形態１におけるＲＦ−ＩＤリーダーライター装置用アンテナを示す底面図である。なお、図２、図３は、多巻きループアンテナ１の筐体２を取り除いた状態の詳細を示している。また、図２、図３において、５はアンテナ基板、６はアンテナ導体、７はコネクタ、８は始端部、９は終端部、１０は接続部、１１は伝送線路、１２は共振整合回路部を示す。また、６０は交差部である。
【００２３】
図２、図３に示すように、多巻きループアンテナ１は、アンテナ基板５にアンテナ導体６を備え、幅Ｗを備えるアンテナ導体６を間隔Ｐで等間隔に多巻き（ｎ巻き）したものである。図３に示すように、それぞれ一巻きのアンテナ導体６は交差部６０を介して接続された構成となっている。多巻きループアンテナ１の始端部８、終端部９、即ち、アンテナ導体６の巻き始めである始端部８と、巻き終わりである終端部９との間には、伝送線路１１が設けられており、そのいずれか一端付近もしくは、中間点付近に共振回路部および同軸ケーブル４との整合回路部からなる共振整合回路部１２を設けた構成である。また、伝送線路１１の他端は終端部９との接続部１０となっている。更に、同軸ケーブル４の端部には、ＲＦ−ＩＤリーダーライター装置３との接続を行うコネクタ７が設けられている。
【００２４】
ここで、アンテナ基板５は、絶縁体を用いることができ、例えば、プリント基板や発泡スチロール等の樹脂製平板を用いることができる。また、アンテナ導体６としては、金属（導電性）箔もしくは金属（導電性）薄板等を用いることができる。交差部６０もアンテナ導体６と同様のものを用いることができる。伝送線路１１には被覆電線を用いることができる。
【００２５】
そして、図２に示すように、開口面Ｓ以外の他の３面においてはアンテナ導体６が、多巻きループアンテナ１の開口面Ｓの中心軸Ａ−Ａ’に対し直角な方向に平行して多巻きされた構成とすることによって、読取範囲内での磁界強度の均一化を図り、通信性能の安定化を実現することができる。
【００２６】
また、図２に示すように、多巻きループアンテナ１を構成するアンテナ導体６の幅Ｗ、間隔Ｐ（ピッチＰ）との比率がＷ：Ｐ＝１：Ｎ（ただしＮ≦１）の条件を満足する横長な構造にすることによって、読取範囲長の拡大および薄型化を実現するとともに通信可能範囲内の磁界強度の均一化を実現することができる。
【００２７】
そして、図２に示すように、アンテナ導体６の巻き数ｎおよび多巻きループアンテナ１の全長Ｌ、幅Ｗ、ピッチＰとの関係を、多巻きループアンテナ１がコイルとしての自己共振点を超えない有限の値をとることにより読取範囲長の拡大、薄型化および通信性能の高性能化を実現することが可能となる。
【００２８】
更に、図３に示すように、多巻きループアンテナ１を構成するアンテナ導体６の始端部８と終端部９との間に被覆電線あるいはストリップライン等の伝送線路１１を設け、そのいずれか一端付近もしくは、中間点付近に共振回路部および同軸ケーブル４との整合回路部からなる共振整合回路部１２を設けたことにより、所望の周波数において効率良く磁界を放射し、受信負荷変動を検知し通信性能の向上を実現した。
【００２９】
多巻きループアンテナ１について更に説明すると、図４は、本発明の実施の形態１におけるＲＦ−ＩＤリーダーライター装置用アンテナを示す側面図、図５は、本発明の実施の形態１におけるＲＦ−ＩＤリーダーライター装置用アンテナを示す断面図である。また、図６は、本発明の実施の形態１におけるＲＦ−ＩＤリーダーライター装置用アンテナの他の例を示す断面図である。図４において、軸Ａ−Ａ’は開口面Ｓの中心軸、軸Ｂ−Ｂ’及び軸Ｃ−Ｃ’は中心軸Ａ−Ａ’に合致せず、且つ多巻きループアンテナ１の開口面Ｓを通らない、且つ中心軸Ａ−Ａ’に略平行な軸を示す。図５、図６において、ｈａ、ｈｄは多巻きループアンテナ１の開口面Ｓの高さ、ｗｂ、ｗｅは多巻きループアンテナ１の開口面Ｓの幅であり、Ｔはアンテナ導体６の厚さを示す。
【００３０】
多巻きループアンテナ１の開口面Ｓの形状は、図５に示すように、略矩形形状であってもよく、図６に示すように、略楕円形形状であってもよい。
【００３１】
図５に示すように、多巻きループアンテナ１の開口面Ｓの高さｈａ、幅ｗｂとの比率が、ｈａ：ｗｂ＝１：Ｎ（ただしＮ≧２）の条件を満足する扁平な構造にしたことによりアンテナの薄型化を実現できる。
【００３２】
更に、図６に示すように、多巻きループアンテナ１の開口面Ｓの高さｈａ、幅ｗｂとの比率が、ｈｄ：ｗｅ＝１：Ｎ（ただしＮ≧２）の条件を満足する扁平な構造にしたことによりアンテナの薄型化を実現できる。
【００３３】
即ち、図５、図６に示すように、多巻きループアンテナ１の開口面Ｓの形状が矩形もしくは楕円形で、その高さｈ、幅ｗとの比率が、ｈ：ｗ＝１：Ｎ（ただしＮ≧２）の条件を満足する扁平な構造にしたことによりアンテナの薄型化を実現できる。
【００３４】
また、図４、図５に示すように、多巻きループアンテナ１の開口面Ｓの幅ｗｂと多巻きループアンテナ１の全長Ｌとの比率が、ｗｂ：Ｌ＝１：Ｎ（ただしＮ≧２）の条件を満足する横長な構造にしたことにより読取範囲長の拡大および薄型化を実現できる。
【００３５】
即ち、図４、図６に示すように、多巻きループアンテナ１の開口面Ｓの幅ｗｅと多巻きループアンテナ１の全長Ｌとの比率が、ｗｅ：Ｌ＝１：Ｎ（ただしＮ≧２）の条件を満足する横長な構造にしたことにより読取範囲長の拡大および薄型化を実現できる。
【００３６】
即ち、図４〜図６に示すように、多巻きループアンテナ１の開口面Ｓの幅ｗと多巻きループアンテナ１の全長Ｌとの比率が、ｗ：Ｌ＝１：Ｎ（ただしＮ≧２）の条件を満足する横長な構造にしたことにより読取範囲長の拡大および薄型化を実現できる。
【００３７】
ここで、図７は、本発明の実施の形態１におけるＲＦ−ＩＤリーダーライター装置用アンテナを示す上面図、図８は、本発明の実施の形態１におけるＲＦ−ＩＤリーダーライター装置用アンテナを示す底面図である。なお、図７、図８も、多巻きループアンテナ１の筐体２を取り除いた状態の詳細を示している。また、図８は、多巻きループアンテナ１における伝送線路１１、共振整合回路部１２を省略した状態を示している。
【００３８】
アンテナ導体６の巻き方について詳細に説明すると、先ず、アンテナ基板５の周囲にアンテナ導体６ａを形成する。図８に示すように、底面の始端部８から形成し、アンテナ導体６ａ’部分から、図７に示すような表面のアンテナ導体６ａとし、更に、底面に戻ってアンテナ導体６ａ’’部分とし、交差部６０ａを介して、アンテナ導体６ｂ’部分に連なり、次のアンテナ導体６ｂとなる。そして、順次巻かれ、アンテナ導体６ｅ’’部分から、交差部６０ｅを介して、アンテナ導体６ｎ’に連なり、次のアンテナ導体６ｎとなって、ｎ巻きされる。この時、底面のアンテナ導体６ｎ’’部分の巻き終わり部が終端部９となる。このように、底面においては、アンテナ導体６ａ’（〜アンテナ導体６ｎ’）部分とアンテナ導体６ａ’’（〜アンテナ導体６ｎ’’）部分との間には間隙５０を備え、隣接するアンテナ導体６ａ〜アンテナ導体６ｎの間には、交差部６０ａ〜交差部６０ｅを有し、交差部６０ａ〜交差部６０ｅは、アンテナ導体６ａ’’（〜アンテナ導体６ｅ’’）とアンテナ導体６ｂ’（〜アンテナ導体６ｎ’）とを接続している。
【００３９】
よって、図２〜図８に示したように、多巻きループアンテナ１を構成するアンテナ導体６は少なくとも一つの同一面上で第一の巻き（ループ）であるアンテナ導体６ａと第二の巻きであるアンテナ導体６ｂとを交差部６０ａから、第（ｎ−１）の巻きであるアンテナ導体６ｅと第ｎの巻きであるアンテナ導体６ｎとを交差部６０ｅを設け接続される構成である。
【００４０】
図９は本発明の実施の形態１におけるＲＦ−ＩＤリーダーライター装置用アンテナの動作状態での磁界分布を示す説明図である。更に、図１０は本発明の実施の形態１におけるＲＦ−ＩＤリーダーライター装置用アンテナの動作状態における距離と磁界強度の変化を示すグラフである。図９は図４における磁束の様子を示し、図１０は中心軸Ｂ−Ｂ’上の点ｐと多巻きループアンテナ１の長さをＬとした場合の、長さＬの増加による点ｐでの磁界強度の変化を示している。１３は磁束を示し、長さＬの範囲においてほぼ均一な磁束密度となっている事がわかる。すなわち中心軸Ｂ−Ｂ’に対して、図１に示すように一つまたは複数のＲＦ−ＩＤタグ３０のそのタグの構成要素の一つであるタグ側アンテナ３１の開口面Ｓの中心軸Ｂ−Ｂ’を略一致させて、多巻きループアンテナ１の外周側面の面上に、一直線上に複数のＲＦ−ＩＤタグ３０を狭間隔に配置させたことにより、これらのＲＦ−ＩＤタグ３０には均一な磁界強度が与えられ、図１０に示すようにＲＦ−ＩＤタグ３０のサイズや搭載されるＩＣ性能により決定されるタグ動作磁界Ｈｔよりも大きな磁界強度を与える事が可能となり、広範囲なタグ読取範囲を実現した。
【００４１】
（実施の形態２）
図１１は、本発明の実施の形態２におけるＲＦ−ＩＤリーダーライター装置用アンテナを示す斜視図、図１２は、本発明の実施の形態２におけるＲＦ−ＩＤリーダーライター装置用アンテナを示す断面図である。図１１、図１２において、１４は磁性材料であり、５１はアンテナ基板である。
【００４２】
図１１、図１２に示すように、アンテナ基板５１内にフェライト等の高透磁率で低損失の磁性材料１４を充填することにより、磁束を集中させる事により、さらなる薄型化・小型化を実現すると共にさらに効率良く磁界を放射し、受信負荷変動を検知し通信性能のさらなる向上を実現したものである。そして、実施の形態１と同様に、開口面Ｓ以外の他の３面においてはアンテナ導体６が、多巻きループアンテナ１の開口面Ｓの中心軸Ａ−Ａ’に対し直角な方向に平行して多巻きされたことにより読取範囲内での磁界強度の均一化を図り、通信性能の安定化を実現できる。
【００４３】
このように、多巻きループアンテナ１の開口面Ｓ内にフェライト等の高透磁率で低損失の磁性材料１４を充填することにより、より薄型化・小型化を実現すると共にさらに効率良く磁界を放射し、受信負荷変動を検知し通信性能のさらなる向上を実現できる。
【００４４】
（実施の形態３）
図１３は、本発明の実施の形態３におけるＲＦ−ＩＤシステムを示す斜視図である。図１３において、１５は支持台、２０は管理物品である。
【００４５】
図１３に示すように、本発明の応用例でＣＤやＤＶＤ等の極めて厚さの薄い管理物品２０の表紙面所定の位置（図１、図４、図９で示した中心軸Ｂ−Ｂ’が貫通するように）にＲＦ−ＩＤタグ３０を貼付し、多巻きループアンテナ１との間で通信を行うようにしたものである。
【００４６】
なお、以上説明した実施の形態１〜３において、多巻きループアンテナ１は、外部金属の影響を避ける目的で、インピーダンス等の通信特性を事前に調整可能なように、通信方向を除き金属板等で覆ってもよい。
【００４７】
このような扁平な平板状の多巻きループアンテナ１を採用したことにより、狭間隔に重ね合わされた複数のタグに対し広範囲なタグ読取範囲を実現した。これにより書籍管理用途やＣＤ／ＤＶＤ管理用途等の極めて厚さの薄い物品管理など、書籍やＣＤ／ＤＶＤケースの背表紙にＲＦ−ＩＤタグを貼り付けできない場合においても、表表紙面もしくは裏表紙面に貼り付けたＲＦ−ＩＤタグとの通信が可能となった。
【産業上の利用可能性】
【００４８】
本発明のＲＦ−ＩＤリーダーライター装置用アンテナ及びそれを用いたＲＦ−ＩＤリーダーライター装置並びにＲＦ−ＩＤシステムは、狭間隔に重ね合わされた複数のタグに対し広範囲なタグ読取範囲が必要とされる、ＨＦ帯（１３．５６ＭＨｚ帯）の周波数を利用し、複数のＲＦ−ＩＤタグとの通信を行うＲＦ−ＩＤリーダーライター装置用アンテナ及びそれを用いたＲＦ−ＩＤリーダーライター装置並びにＲＦ−ＩＤシステムの用途にも適用できる。
【図面の簡単な説明】
【００４９】
【図１】本発明の実施の形態１におけるＲＦ−ＩＤシステムを示す斜視図
【図２】本発明の実施の形態１におけるＲＦ−ＩＤリーダーライター装置用アンテナを示す斜視図
【図３】本発明の実施の形態１におけるＲＦ−ＩＤリーダーライター装置用アンテナを示す底面図
【図４】本発明の実施の形態１におけるＲＦ−ＩＤリーダーライター装置用アンテナを示す側面図
【図５】本発明の実施の形態１におけるＲＦ−ＩＤリーダーライター装置用アンテナを示す断面図
【図６】本発明の実施の形態１におけるＲＦ−ＩＤリーダーライター装置用アンテナの他の例を示す断面図
【図７】本発明の実施の形態１におけるＲＦ−ＩＤリーダーライター装置用アンテナを示す上面図
【図８】本発明の実施の形態１におけるＲＦ−ＩＤリーダーライター装置用アンテナを示す底面図
【図９】本発明の実施の形態１におけるＲＦ−ＩＤリーダーライター装置用アンテナの動作状態での磁界分布を示す説明図
【図１０】本発明の実施の形態１におけるＲＦ−ＩＤリーダーライター装置用アンテナの動作状態における距離と磁界強度の変化を示すグラフ
【図１１】本発明の実施の形態２におけるＲＦ−ＩＤリーダーライター装置用アンテナを示す斜視図
【図１２】本発明の実施の形態２におけるＲＦ−ＩＤリーダーライター装置用アンテナを示す断面図
【図１３】本発明の実施の形態３におけるＲＦ−ＩＤシステムを示す斜視図
【図１４】従来のＲＦ−ＩＤリーダーライター装置用アンテナを示す説明図
【図１５】従来のＲＦ−ＩＤリーダーライター装置用アンテナの動作状態における距離と磁界強度の変化を示すグラフ
【図１６】従来のタグ検索装置を説明する図
【符号の説明】
【００５０】
１    多巻きループアンテナ
２    筐体
３    ＲＦ−ＩＤリーダーライター装置
４    同軸ケーブル
５    アンテナ基板
６    アンテナ導体
７    コネクタ
８    始端部
９    終端部
１０    接続部
１１    伝送線路
１２    共振整合回路部
１３    磁束
１４    磁性材料
１５    支持台
【図１】
2007043535.tif 000003
【図２】
2007043535.tif 000004
【図３】
2007043535.tif 000005
【図４】
2007043535.tif 000006
【図５】
2007043535.tif 000007
【図６】
2007043535.tif 000008
【図７】
2007043535.tif 000009
【図８】
2007043535.tif 000010
【図９】
2007043535.tif 000011
【図１０】
2007043535.tif 000012
【図１１】
2007043535.tif 000013
【図１２】
2007043535.tif 000014
【図１３】
2007043535.tif 000015
【図１４】
2007043535.tif 000016
【図１５】
2007043535.tif 000017
【図１６】
2007043535.tif 000018